(57)【要約】【課題】  利用者が関連性を認識した複数の電子文書を簡単な作法で関連付けできるようにする。【解決手段】  各電子ペーパＥＰ１〜３には、それぞれ異なる電子文書（ドキュメント１〜３）の画像が表示され、各電子ペーパＥＰ１〜３が有するＲＦＩＤタグ１３にその電子文書の実データを特定するための特定情報が記録されている。そして、これらを重ねて読取装置Ｒで挟み込む操作を利用者が行うと、読取装置Ｒは、各電子ペーパＥＰ１〜３から特定情報を取得し、これら複数の特定情報をまとめてサーバＳに送信する。サーバＳは、読取装置Ｒからまとめて受信した複数の特定情報に基づいて、対応する電子文書の実データ同士を関連付けて管理する。【選択図】  図１
2008269508.tif 000002
【特許請求の範囲】
【請求項１】
複数の表示保持媒体と、読取装置と、管理装置と、を有し、
前記表示保持媒体は、書込外力に応じて電子文書の画像が書換可能に形成され且つ当該書込外力を除去した後も形成された画像を表示保持する表示部と、前記電子文書の実データを特定する特定情報を記憶する記憶手段と、を備え、
前記読取装置は、表示保持媒体を複数重ねて挟み込む一対の挟み込み部と、前記挟み込まれた複数の表示保持媒体から特定情報を取得する取得手段と、前記取得した複数の特定情報を前記管理装置にまとめて送信する送信手段と、を備え、
前記管理装置は、前記読取装置からまとめて受信した複数の特定情報に基づいて、対応する電子文書の実データ同士を関連付けて管理する管理手段を備えたことを特徴とする文書関連付けシステム。
【請求項２】
前記特定情報には、前記読取装置による特定情報の取得時にその表示保持媒体が挟み込み状態にあったか否かを示す状態情報が含まれており、
前記表示保持媒体は、前記挟み込み部に対応する媒体部分に加えられた圧力を検出する検出手段と、前記圧力を検出している間、前記状態情報を挟み込み状態に書き換える書換手段と、を備え、
前記管理手段は、挟み込み状態を示す状態情報を含む特定情報に基づいて、対応する複数の電子文書の実データ同士を関連付けて管理することを特徴とする請求項１に記載の文書関連付けシステム。
【請求項３】
前記表示保持媒体は、前記挟み込み部に対応する媒体部分に加えられた圧力を検出する検出手段と、前記圧力を検出している間、前記読取装置による特定情報の取得を可能にする回路を形成するよう回路配線を接続する接続手段と、を備えたことを特徴とする請求項１に記載の文書関連付けシステム。
【請求項４】
前記挟み込み部は、挟み込んだ表示保持媒体に動作電力を供給するための電極をそれぞれの挟み込み面に設け、
前記表示保持媒体は、前記挟み込み部からの動作電力の供給を受けるための電極を前記挟み込み部の電極位置に対応して媒体表面及び裏面に設けたことを特徴とする請求項１に記載の文書関連付けシステム。
【請求項５】
書込外力に応じて電子文書の画像が書換可能に形成され且つ当該書込外力を除去した後も形成された画像を表示保持すると共に前記電子文書を特定する特定情報を記憶する表示保持媒体を、複数重ねて挟み込む一対の挟み込み部と、
前記挟み込み部に複数重ねて挟み込まれた表示保持媒体から特定情報を取得する取得手段と、
まとめて受信した複数の特定情報に基づいて対応する複数の電子文書の実データ同士を互いに関連付けて管理する管理装置に、前記取得した複数の特定情報をまとめて送信する送信手段と、
を備えたことを特徴とする読取装置。
【請求項６】
書込外力に応じて電子文書の画像が書換可能に形成され且つ当該書込外力を除去した後も形成された画像を表示保持すると共に前記電子文書を特定する特定情報を記憶する表示保持媒体を、複数重ねて挟み込む一対の挟み込み部を有する読取装置から複数まとめて送信される、前記挟み込み部に複数重ねて挟み込まれた表示保持媒体から取得された特定情報に基づいて、対応する複数の電子文書の実データ同士を互いに関連付けて管理する管理手段を備えたことを特徴とする管理装置。
【請求項７】
書込外力に応じて電子文書の画像が書換可能に形成され且つ当該書込外力を除去した後も形成された画像を表示保持する表示部と、
読取装置が有する挟み込み部により自媒体が挟み込み状態にあるか否かを示す状態情報を含み且つ前記電子文書を特定する特定情報を記憶する記憶手段と、
前記挟み込み部に対応する媒体部分に加えられた圧力を検出する検出手段と、
前記圧力を検出している間、前記状態情報を挟み込み状態に書き換える書換手段と、を備え、
挟み込み状態を示す状態情報を含む複数の特定情報に基づいて対応する複数の電子文書の実データ同士を互いに関連付ける管理装置に複数まとめて送信する特定情報を前記読取装置が取得するために、前記挟み込み部に複数重ねて挟み込まれる表示保持媒体。
【請求項８】
書込外力に応じて電子文書の画像が書換可能に形成され且つ当該書込外力を除去した後も形成された画像を表示保持する表示部と、
前記電子文書を特定する特定情報を記憶する記憶手段と、
読取装置が有する挟み込み部に対応する媒体部分に加えられた圧力を検出する検出手段と、
前記圧力を検出している間、前記読取装置による特定情報の取得を可能にする回路を形成するよう回路配線を接続する接続手段と、を備え、
複数の特定情報に基づいて対応する複数の電子文書の実データ同士を互いに関連付ける管理装置に複数まとめて送信する特定情報を前記読取装置が取得するために、前記挟み込み部に複数重ねて挟み込まれる表示保持媒体。
【請求項９】
書込外力に応じて電子文書の画像が書換可能に形成され且つ当該書込外力を除去した後も形成された画像を表示保持する表示部と、
前記電子文書を特定する特定情報を記憶する記憶手段と、
読取装置が有する挟み込み部のそれぞれの挟み込み面に設けられ且つ挟み込んだ各媒体に動作電力を供給するための電極の位置に対応して、媒体表面及び裏面に設けた前記挟み込み部からの動作電力の供給を受けるための電極と、を備え、
複数の特定情報に基づいて対応する複数の電子文書の実データ同士を互いに関連付ける管理装置に複数まとめて送信する特定情報を前記読取装置が取得するために、前記挟み込み部に複数重ねて挟み込まれる表示保持媒体。
【請求項１０】
書込外力に応じて電子文書の画像が書換可能に形成され且つ当該書込外力を除去した後も形成された画像を表示保持すると共に前記電子文書を特定する特定情報を記憶する表示保持媒体を、複数重ねて挟み込む一対の挟み込み部を有する読取装置のコンピュータに、
前記挟み込み部に複数重ねて挟み込まれた表示保持媒体から特定情報を取得する取得機能と、
まとめて受信した複数の特定情報に基づいて対応する複数の電子文書の実データ同士を互いに関連付けて管理する管理装置に、前記取得した複数の特定情報をまとめて送信する送信機能と、
を実現するためのプログラム。
【請求項１１】
書込外力に応じて電子文書の画像が書換可能に形成され且つ当該書込外力を除去した後も形成された画像を表示保持すると共に前記電子文書を特定する特定情報を記憶する表示保持媒体を、複数重ねて挟み込む一対の挟み込み部を有して各表示保持媒体から特定情報を取得する読取装置から特定情報を複数まとめて送信される管理装置のコンピュータに、
まとめて受信した複数の特定情報に基づいて、対応する複数の電子文書の実データ同士を互いに関連付けて管理する管理機能を実現するためのプログラム。
【請求項１２】
書込外力に応じて電子文書の画像が書換可能に形成され且つ当該書込外力を除去した後も形成された画像を表示保持し、読取装置が有する挟み込み部により自媒体が挟み込み状態にあるか否かを示す状態情報を含み且つ前記電子文書を特定する特定情報を記憶し、挟み込み状態を示す状態情報を含む複数の特定情報に基づいて対応する複数の電子文書の実データ同士を互いに関連付ける管理装置に複数まとめて送信する特定情報を前記読取装置が取得するために前記挟み込み部に、複数重ねて挟み込まれる表示保持媒体のコンピュータに、
前記挟み込み部に対応する媒体部分に加えられた圧力を検出する検出機能と、
前記圧力を検出している間、前記状態情報を挟み込み状態に書き換える書換機能と、
を実現するためのプログラム。
【発明の詳細な説明】
【技術分野】
【０００１】
本発明は、文書関連付けシステム、読取装置、管理装置、表示保持媒体、及びプログラムに関する。
【背景技術】
【０００２】
印刷物は一般に外部からのインクやトナー等の着色材料や現像材料を紙を代表とする媒体上に供給することで固定的な画像表示を行わせるものであるが、このような固定的に画像を表示保持する媒体に代替可能な媒体として、書込外力に応じて画像が書換可能に形成され且つ当該書込外力を除去した後も形成された画像を表示保持する表示保持媒体が研究開発されている。
【０００３】
このような表示保持媒体は、画像を表示保持する領域としての表示部の内部に画像を構成する表示材料を含有し、この表示材料に書込外力（電気、磁気、熱、所定ＰＨの液体といった化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパと称せられることが多い。
【０００４】
ここで、電子ペーパを用いた以下のような発明が提案されている。
複数の電子ペーパが隣接して配置されると、当該隣接位置関係を検出するとともに各電子ペーパから表示ドキュメントのドキュメントＩＤを取得し、各電子ペーパの隣接関係をドキュメントＩＤに対応付ける発明が提案されている（特許文献１参照）。
表示内容を自己保持した状態で持続的に表示可能なシート状の表示部を複数束ねた状態で保持しうる電子バインダの発明が提案されている（特許文献２参照）。
【０００５】
【特許文献１】特開２００６−０３１３７３号公報
【特許文献２】特開２００３−２５６３８３号公報
【発明の開示】
【発明が解決しようとする課題】
【０００６】
従来より、コンピュータを用いて作成した電子文書が、ディスプレイ画面への表示や用紙への印刷等によって各利用者に閲覧され、情報の伝達・共有等に用いられている。
ここで、利用者は、例えば電子文書が印刷された用紙を閲覧し、互いの関連性を認識した複数の電子文書を、関係者への提供や再利用等のために一纏めにしておきたいと考えることがある。この場合、該当する電子文書をコンピュータを操作して探し出して共通のフォルダに格納する等を行う必要があり、このような関連付け作業は利用者にとって面倒なものであった。
【０００７】
本発明は、上記従来の事情に鑑みなされたものであり、利用者が関連性を認識した複数の電子文書を簡単な作法で関連付けできるようにすることを目的としている。
【課題を解決するための手段】
【０００８】
請求項１に記載の本発明は、複数の表示保持媒体と、読取装置と、管理装置と、を有し、前記表示保持媒体は、書込外力に応じて電子文書の画像が書換可能に形成され且つ当該書込外力を除去した後も形成された画像を表示保持する表示部と、前記電子文書の実データを特定する特定情報を記憶する記憶手段と、を備え、前記読取装置は、表示保持媒体を複数重ねて挟み込む一対の挟み込み部と、前記挟み込まれた複数の表示保持媒体から特定情報を取得する取得手段と、前記取得した複数の特定情報を前記管理装置にまとめて送信する送信手段と、を備え、前記管理装置は、前記読取装置からまとめて受信した複数の特定情報に基づいて、対応する電子文書の実データ同士を関連付けて管理する管理手段を備えたことを特徴とする文書関連付けシステムである。
【０００９】
請求項２に記載の本発明は、請求項１に記載の文書関連付けシステムにおいて、前記特定情報には、前記読取装置による特定情報の取得時にその表示保持媒体が挟み込み状態にあったか否かを示す状態情報が含まれており、前記表示保持媒体は、前記挟み込み部に対応する媒体部分に加えられた圧力を検出する検出手段と、前記圧力を検出している間、前記状態情報を挟み込み状態に書き換える書換手段と、を備え、前記管理手段は、挟み込み状態を示す状態情報を含む特定情報に基づいて、対応する複数の電子文書の実データ同士を関連付けて管理することを特徴とする文書関連付けシステムである。
【００１０】
請求項３に記載の本発明は、請求項１に記載の文書関連付けシステムにおいて、前記表示保持媒体は、前記挟み込み部に対応する媒体部分に加えられた圧力を検出する検出手段と、前記圧力を検出している間、前記読取装置による特定情報の取得を可能にする回路を形成するよう回路配線を接続する接続手段と、を備えたことを特徴とする文書関連付けシステムである。
【００１１】
請求項４に記載の本発明は、請求項１に記載の文書関連付けシステムにおいて、前記挟み込み部は、挟み込んだ表示保持媒体に動作電力を供給するための電極をそれぞれの挟み込み面に設け、前記表示保持媒体は、前記挟み込み部からの動作電力の供給を受けるための電極を前記挟み込み部の電極位置に対応して媒体表面及び裏面に設けたことを特徴とする文書関連付けシステムである。
【００１２】
請求項５に記載の本発明は、書込外力に応じて電子文書の画像が書換可能に形成され且つ当該書込外力を除去した後も形成された画像を表示保持すると共に前記電子文書を特定する特定情報を記憶する表示保持媒体を、複数重ねて挟み込む一対の挟み込み部と、前記挟み込み部に複数重ねて挟み込まれた表示保持媒体から特定情報を取得する取得手段と、まとめて受信した複数の特定情報に基づいて対応する複数の電子文書の実データ同士を互いに関連付けて管理する管理装置に、前記取得した複数の特定情報をまとめて送信する送信手段と、を備えたことを特徴とする読取装置である。
【００１３】
請求項６に記載の本発明は、書込外力に応じて電子文書の画像が書換可能に形成され且つ当該書込外力を除去した後も形成された画像を表示保持すると共に前記電子文書を特定する特定情報を記憶する表示保持媒体を、複数重ねて挟み込む一対の挟み込み部を有する読取装置から複数まとめて送信される、前記挟み込み部に複数重ねて挟み込まれた表示保持媒体から取得された特定情報に基づいて、対応する複数の電子文書の実データ同士を互いに関連付けて管理する管理手段を備えたことを特徴とする管理装置である。
【００１４】
請求項７に記載の本発明は、書込外力に応じて電子文書の画像が書換可能に形成され且つ当該書込外力を除去した後も形成された画像を表示保持する表示部と、読取装置が有する挟み込み部により自媒体が挟み込み状態にあるか否かを示す状態情報を含み且つ前記電子文書を特定する特定情報を記憶する記憶手段と、前記挟み込み部に対応する媒体部分に加えられた圧力を検出する検出手段と、前記圧力を検出している間、前記状態情報を挟み込み状態に書き換える書換手段と、を備え、挟み込み状態を示す状態情報を含む複数の特定情報に基づいて対応する複数の電子文書の実データ同士を互いに関連付ける管理装置に複数まとめて送信する特定情報を前記読取装置が取得するために、前記挟み込み部に複数重ねて挟み込まれる表示保持媒体である。
【００１５】
請求項８に記載の本発明は、書込外力に応じて電子文書の画像が書換可能に形成され且つ当該書込外力を除去した後も形成された画像を表示保持する表示部と、前記電子文書を特定する特定情報を記憶する記憶手段と、読取装置が有する挟み込み部に対応する媒体部分に加えられた圧力を検出する検出手段と、前記圧力を検出している間、前記読取装置による特定情報の取得を可能にする回路を形成するよう回路配線を接続する接続手段と、を備え、複数の特定情報に基づいて対応する複数の電子文書の実データ同士を互いに関連付ける管理装置に複数まとめて送信する特定情報を前記読取装置が取得するために、前記挟み込み部に複数重ねて挟み込まれる表示保持媒体である。
【００１６】
請求項９に記載の本発明は、書込外力に応じて電子文書の画像が書換可能に形成され且つ当該書込外力を除去した後も形成された画像を表示保持する表示部と、前記電子文書を特定する特定情報を記憶する記憶手段と、読取装置が有する挟み込み部のそれぞれの挟み込み面に設けられ且つ挟み込んだ各媒体に動作電力を供給するための電極の位置に対応して、媒体表面及び裏面に設けた前記挟み込み部からの動作電力の供給を受けるための電極と、を備え、複数の特定情報に基づいて対応する複数の電子文書の実データ同士を互いに関連付ける管理装置に複数まとめて送信する特定情報を前記読取装置が取得するために、前記挟み込み部に複数重ねて挟み込まれる表示保持媒体である。
【００１７】
請求項１０に記載の本発明は、書込外力に応じて電子文書の画像が書換可能に形成され且つ当該書込外力を除去した後も形成された画像を表示保持すると共に前記電子文書を特定する特定情報を記憶する表示保持媒体を、複数重ねて挟み込む一対の挟み込み部を有する読取装置のコンピュータに、前記挟み込み部に複数重ねて挟み込まれた表示保持媒体から特定情報を取得する取得機能と、まとめて受信した複数の特定情報に基づいて対応する複数の電子文書の実データ同士を互いに関連付けて管理する管理装置に、前記取得した複数の特定情報をまとめて送信する送信機能と、を実現するためのプログラムである。
【００１８】
請求項１１に記載の本発明は、書込外力に応じて電子文書の画像が書換可能に形成され且つ当該書込外力を除去した後も形成された画像を表示保持すると共に前記電子文書を特定する特定情報を記憶する表示保持媒体を、複数重ねて挟み込む一対の挟み込み部を有して各表示保持媒体から特定情報を取得する読取装置から特定情報を複数まとめて送信される管理装置のコンピュータに、まとめて受信した複数の特定情報に基づいて、対応する複数の電子文書の実データ同士を互いに関連付けて管理する管理機能を実現するためのプログラムである。
【００１９】
請求項１２に記載の本発明は、書込外力に応じて電子文書の画像が書換可能に形成され且つ当該書込外力を除去した後も形成された画像を表示保持し、読取装置が有する挟み込み部により自媒体が挟み込み状態にあるか否かを示す状態情報を含み且つ前記電子文書を特定する特定情報を記憶し、挟み込み状態を示す状態情報を含む複数の特定情報に基づいて対応する複数の電子文書の実データ同士を互いに関連付ける管理装置に複数まとめて送信する特定情報を前記読取装置が取得するために前記挟み込み部に、複数重ねて挟み込まれる表示保持媒体のコンピュータに、前記挟み込み部に対応する媒体部分に加えられた圧力を検出する検出機能と、前記圧力を検出している間、前記状態情報を挟み込み状態に書き換える書換機能と、を実現するためのプログラムである。
【発明の効果】
【００２０】
請求項１に記載の文書関連付けシステムによると、複数重ねた用紙をクリップやステープラ等の紙綴器で綴じるといった一般的な作業と同様な、複数重ねた表示保持媒体を読取装置で挟むという直感的な簡単な作法で、各表示保持媒体の表示に係る電子文書の実データを互いに関連付けることができる。
【００２１】
請求項２乃至請求項４に記載の文書関連付けシステムによると、読取装置の近辺に無関係な表示保持媒体が存在する場合であっても、読取装置が挟み込んだ各表示保持媒体から電子文書の関連付けに用いる特定情報を読み取りつつ、無関係な表示保持媒体から特定情報を読み取ることを防ぐことができる。
【００２２】
請求項５に記載の読取装置によると、当該読取装置を用いて文書関連付けシステムを構築することにより、複数重ねた表示保持媒体を読取装置で挟むという直感的な簡単な作法で、各表示保持媒体の表示に係る電子文書の実データを互いに関連付けることができる。
【００２３】
請求項６に記載の管理装置によると、当該管理装置を用いて文書関連付けシステムを構築することにより、複数重ねた表示保持媒体を読取装置で挟むという直感的な簡単な作法で、各表示保持媒体の表示に係る電子文書の実データを互いに関連付けることができる。      
【００２４】
請求項７乃至請求項９に記載の表示保持媒体によると、当該表示保持媒体を用いて文書関連付けシステムを構築することにより、複数重ねた表示保持媒体を読取装置で挟むという直感的な簡単な作法で、各表示保持媒体の表示に係る電子文書の実データを互いに関連付けることが可能なシステムを構築でき、また、読取装置の近辺に無関係な表示保持媒体が存在する場合であっても、読取装置が挟み込んだ各表示保持媒体から電子文書の関連付けに用いる特定情報を読み取りつつ、無関係な表示保持媒体から特定情報を読み取ることを防ぐことができる。
【００２５】
請求項１０に記載のプログラムによると、その実行によりコンピュータ上に実現される各機能を備えた読取装置を用いて文書関連付けシステムを構築することにより、複数重ねた表示保持媒体を読取装置で挟むという直感的な簡単な作法で、各表示保持媒体の表示に係る電子文書の実データを互いに関連付けることができる。
【００２６】
請求項１１に記載のプログラムによると、その実行によりコンピュータ上に実現される各機能を備えた管理装置を用いて文書関連付けシステムを構築することにより、複数重ねた表示保持媒体を読取装置で挟むという直感的な簡単な作法で、各表示保持媒体の表示に係る電子文書の実データを互いに関連付けることができる。
【００２７】
請求項１２に記載のプログラムによると、その実行によりコンピュータ上に実現される各機能を備えた表示保持媒体を用いて文書関連付けシステムを構築することにより、複数重ねた表示保持媒体を読取装置で挟むという直感的な簡単な作法で、各表示保持媒体の表示に係る電子文書の実データを互いに関連付けることができ、また、読取装置の近辺に無関係な表示保持媒体が存在する場合であっても、読取装置が挟み込んだ各表示保持媒体から電子文書の関連付けに用いる特定情報を読み取りつつ、無関係な表示保持媒体から特定情報を読み取ることを防ぐことができる。
【発明を実施するための最良の形態】
【００２８】
まず、本発明に用いることができる表示保持媒体（いわゆる電子ペーパ）について説明する。
電子ペーパは、書込外力に応じて画像が書換可能に形成され且つ当該書込外力を除去した後も形成された画像を表示保持する媒体であり、その表示原理としては、電気、磁気、熱といった外力を直接印加して素子を駆動するもの、あるいは光照射に伴う電圧変化により素子を駆動するものや、電圧印加に伴う液体のＰＨ変化により呈色状態を変化させる等、連鎖的に素子を駆動する表示原理を用いるもの等がある。
【００２９】
電子ペーパの一例として、光照射により画像を書き換える電子ペーパ（以下、光書換型電子ペーパ）について具体的に説明する。
光書換型電子ペーパは、媒体の大部分を占める表示部１１の断面構造を表す図１１に示すように、複写機に利用されている有機光導電性材料の層（有機光導電層）６０と液晶表示材料の層（マイクロカプセル化したコレステリック液晶層）６１とを組み合わせ、これら層を表裏一対の透明電極６２で挟み、この積層体を表裏一対の透明な基材フィルム６３で挟んだ構造となっている。なお、この構成では、コレステリック液晶層６１が光を反射する白表示と、光が液晶層６１を透過しコレステリック液晶層６１と有機光導電層６０との間に設けられた黒色層６４で吸収される黒表示のモノクロ画像表示が可能である。さらにコレステリック液晶には螺旋ピッチに応じたカラー光を干渉反射するという特性があるので、コレステリック液晶層６１を螺旋ピッチの異なる液晶を積層した構成にすることにより、簡単な構造でカラー表示を実現することも可能である。
【００３０】
そして、光書換型電子ペーパは、表示部１１の動作原理を表す図１２に示すように、例えば画像書込み用の調光素子パネル（発光パネル）に転写する画像を表示して表示部１１に投影し、表示部１１に設けた書き込み用電極に電圧を印加すると、表示部１１は光の強弱を瞬時に反射濃度に変換して当該投影画像を保持する。そして、電極に消去電圧を印加することにより表示部１１に保持された画像情報を消去することができ、光書換型電子ペーパは書き込みと消去を繰り返して幾度も再使用することができる。なお、光書換型電子ペーパはこのような消去処理を行わずに、上記のように電極に電圧を印加して新たな画像を投影することにより、表示部１１に保持されている画像情報を上書きすることもでき、このような上書き処理によっても幾度も再使用することができる。
【００３１】
電子ペーパの他の例として、電気の直接印加により画像を書き換える電子ペーパ（以下、電気書換型電子ペーパ）について具体的に説明する。
電気書換型電子ペーパは、媒体の大部分を占める表示部１１の断面構造を表す図１３に示すように、微細な着色帯電粒子（図示の例では、白色粒子７１と黒色粒子７２）を少なくとも表面側が透明な表裏一対の電極７３間に封入し、これを少なくとも表面側が透明な表裏一対のフィルム基板７４で挟んだ構造となっている。着色粒子７１、７２が自由に移動できるように電極層７３間は空気層となっており、また、マトリックス状の電極層７３には着色粒子７１、７２との接触を防止する絶縁層７５が設けられている。なお、カラーフィルターを用いることにより、簡単な構造でカラー表示を実現することも可能である。
【００３２】
そして、電気書換型電子ペーパは、表示部１１の動作原理を表す図１４に示すように、電極７３に電圧を印加していない状態（但し、電極７３は前回の駆動時の極性に帯電している）では、負（マイナス）に帯電した白色粒子７１は裏面側に溜まる一方、正（プラス）に帯電した黒色粒子７２は表面側に溜まり、表示部１１を表面側から目視すると表示部１１は黒色な状態となる。そして、電気書換型電子ペーパに接続されたドライバを画像データに基づいて動作させ、当該ドライバの機能により表示する画像に応じた表示部１１のマトリックスの所要部の電極極性を反転させると、白色粒子７１と黒色粒子７２との位置関係が入れ替わって、表示部１１に白色粒子７１と黒色粒子７２とのコントラストによる画像が表示される。なお、異なる画像データに基づいてドライバを動作させることにより、白色粒子７１と黒色粒子７２とのコントラストにより表示部１１に表示される画像を切り換えることができ、幾度も再使用することができる。
【００３３】
図１は、本発明の一実施例に係る文書関連付けシステムの概要を示している。
本例の文書関連付けシステムは、ＲＦＩＤタグを備えた複数の電子ペーパ（表示保持媒体）ＥＰ、ＲＦＩＤリーダ／ライタ機能を有する一対の挟み込み部を備えた読取装置Ｒ、文書情報を管理するサーバ（管理装置）Ｓ、を有している。
各電子ペーパＥＰ１〜３には、それぞれ異なる電子文書（ドキュメント１〜３）の画像が表示され、各電子ペーパＥＰ１〜３が有するＲＦＩＤタグ１３にその電子文書の実データを特定するための情報が記録されている。そして、これらを重ねて読取装置Ｒで挟み込むことで各電子ペーパＥＰ１〜３から情報を取得し、該当する電子文書の実データ同士をサーバＳによって関連付けている。
なお、本例では、電気書換型電子ペーパを用いて文書関連付けシステムを構築しているが、例えば光換型電子ペーパ等の他の動作原理による電子ペーパを用いてもよい。
【００３４】
図２は、本例に係る文書関連付けシステムの機能構成を示している。
電子ペーパＥＰは、画像を表示保持する表示部１１、当該電子ペーパＥＰの動作を制御する制御部１２、当該電子ペーパＥＰを識別する媒体ＩＤを記憶するメモリ１３、読取装置Ｒの挟み込み部に対応する媒体部分に加えられた圧力を検出するセンサ１４、当該電子ペーパＥＰを動作させるための電力を供給する電源１５、読取装置Ｒとの無線通信処理を行う送受信部１６、当該無線通信処理に用いるアンテナ１７、を備えている。
【００３５】
読取装置Ｒは、サーバＳとの通信を行う通信部２１、当該読取装置Ｒの動作を制御する制御部２２、当該読取装置Ｒを動作させるための電力を供給する電源２３、電子ペーパＥＰとの無線通信処理を行う送受信部２４、当該無線通信処理に用いるアンテナ２５、を備えている。本例では、上記各機能部を備えた専用装置として読取装置Ｒを構成しているが、例えば、既存の折り畳み式携帯電話に上記各機能部を設けて読取装置Ｒを構成する等してもよい。
【００３６】
サーバＳは、読取装置Ｒとの通信を行う通信部３１、当該サーバＳの動作を制御する制御部３２、電子文書の実データを保持すると共に複数の実データを互いに関連付けた関連情報を保持する文書データベース３３、電子ペーパＥＰの媒体ＩＤと当該電子ペーパＥＰに最後に書き込んだ電子文書（現在表示されている電子文書）の実データを識別する文書ＩＤとを対応付けた対応テーブル３４、を備えている。
【００３７】
すなわち、本例では、電子ペーパＥＰの媒体ＩＤに基づいて対応テーブル３４を参照することで、当該電子ペーパＥＰに表示されている電子文書の実データを特定できるため、媒体ＩＤを、電子ペーパＥＰの表示に係る電子文書の実データを特定する特定情報として当該電子ペーパＥＰに記憶しており、後述する電子文書の実データの関連付け処理に用いている。なお、例えば、電子文書の画像を電子ペーパＥＰに書き込む際に、当該電子文書の実データを識別する文書ＩＤを特定情報として当該電子ペーパＥＰに書き込み保持させておき、電子文書の実データの関連付け処理に用いてもよい。
【００３８】
次に、電子文書の実データの関連付け処理を、電子ペーパＥＰ側の処理と、読取装置Ｒ及びサーバＳ側の処理と、に分けて説明する。
なお、本例では、電子ペーパＥＰのメモリ１３に記憶している媒体ＩＤの一部（例えば末尾）に、当該電子ペーパＥＰが読取装置Ｒの挟み込み部による挟み込み状態にあるか否かを示すフラグ（状態情報）を設定しており、後述するように、各電子ペーパＥＰから取得した媒体ＩＤのフラグに基づいてその取得時の電子ペーパＥＰの状態を判断することで、無関係な電子ペーパＥＰ（挟み込んでいない電子ペーパＥＰ）から読み取ってしまった媒体ＩＤを関連付け処理に用いないようにしている。
【００３９】
図３は、読取装置Ｒによる電子ペーパＥＰの挟み込み時における、電子ペーパＥＰでのフラグ（状態情報）の書換処理の流れを示している。
電子ペーパＥＰは、制御部１２による制御の下、自己が読取装置Ｒにより挟み込み状態にあるか否かをセンサ１４に加えられる圧力に基づいて判定する（ステップＳ１１、Ｓ１２）。そして、既定の閾値を超える圧力を検出したことに応じて、メモリ１３に記憶されている媒体ＩＤのフラグ部分を、自己が挟み込み状態にあることを示す値に書き換える（ステップＳ１３）。その後、閾値を超える圧力の検出中は挟み込み状態にあると判定して、前記書き換えた内容を維持し続け（ステップＳ１４）、検出した圧力が閾値を下回ったことに応じて、自己が読取装置Ｒから解放されたと判定して、媒体ＩＤのフラグ部分を挟み込み状態にないことを示す値に書き換える（ステップＳ１５）。
【００４０】
図４は、読取装置Ｒによる電子ペーパＥＰの挟み込み時における、読取装置Ｒでの媒体ＩＤ（特定情報）の読取処理の流れを示している。
読取装置Ｒは、電子ペーパＥＰを複数重ねて挟み込み部により挟み込んだことに応じて（ステップＳ２１）、制御部１２による制御の下、各電子ペーパＥＰのメモリ情報（媒体ＩＤ）を取得する（ステップＳ２２）。具体的には、電子ペーパＥＰを挟んだ状態で当該読取装置Ｒに設けたボタンを利用者が押下すると、送受信部２４及びアンテナ２５により媒体ＩＤの要求信号を発信し、その信号を受信した各電子ペーパＥＰから送受信部１６及びアンテナ１７により返信される媒体ＩＤを受信する。なお、例えば、読取装置Ｒの挟み込み部に利用者から加えられた圧力に応じて要求信号を発信する等、他の態様により実現してもよい。
【００４１】
その後、読取装置Ｒは、取得した各媒体ＩＤのフラグ部分を参照して、挟み込み状態にあることを示すフラグが設定された媒体ＩＤを複数取得したか否かを判定し（ステップＳ２３）、該当する媒体ＩＤを複数取得した場合にそれらをまとめてサーバＳに通信部２１により送信する（ステップＳ２４）。
サーバＳは、読取装置Ｒから媒体ＩＤを複数まとめて受信すると、制御部３２による制御の下、各媒体ＩＤに対応する電子文書の実データを対応テーブル３４を参照して特定し、特定した各電子文書の実データ同士を関連付ける関連情報を生成して文書データベース３３に格納する関連付け処理を行う。
なお、例えば、読取装置Ｒでフラグ判定せずに、取得した全ての媒体ＩＤをサーバＳに送信し、サーバＳがフラグ判定して関連付け処理に用いる媒体ＩＤを選別してもよい。
【００４２】
図５は、文書データベース３３に格納した関連情報のデータ例を示している。
同図によると、文書ＩＤが「ａ１２３４５」、「ｂ３４５６７」、「ｃ５６７８９」の３つの電子文書の実データ同士が「２００６／０８／３０  １５：００」の日時をもって互いに関連付けられたことが分かる。
【００４３】
図６は、或る電子文書に関連する関連文書を検索した結果の表示例を示す図である。
同図では、検索キーワードとして文書ＩＤ「ｂ３４５６７」を指定して検索指示しており、「２００６／０８／３０  １５：００」の日時をもって関連付けられた「ａ１２３４５」及び「ｃ５６７８９」の電子文書と、「２００５／１０／１５  １８：００」の日時をもって関連付けられた「ｄ００００３」の電子文書とが検索されている。
【００４４】
図７は、検索結果の他の表示例を示している。
同図（ａ）は、各電子文書を表象する表象画像（本例ではアイコン画像）を関連情報の単位で重ねて文書群として表示しており、文書群の中の１つの電子文書が利用者に選択されたことに応じて、当該電子文書に関連する他の関連情報を検索し、当該他の関連情報に係る文書群における当該電子文書の表象画像を他と区別した態様で表示している。また、これに伴い、同図（ｂ）に示すように、選択された電子文書がどの文書群に属しているかを示す情報を表示している。
【００４５】
なお、本例の読取装置Ｒは、挟み込んだ複数の電子ペーパＥＰから媒体ＩＤを取得したことに応じて、これら電子ペーパＥＰの表示画像を消去する機能を有している。すなわち、利用者は、各電子ペーパＥＰに表示された情報を把握した上で関連付け対象を決定するため、関連付けを行う時点では最早その利用者にとって閲覧の必要のない情報であることから、情報漏洩防止の観点から表示を消去している。また、消去するか否かを利用者が判断して行えるように、例えば、消去ボタンを読取装置Ｒに設けたり、利用者が加えた挟み込み圧力の大きさに応じて消去するか否かを切り替える等してもよい。
なお、例えば、図８に示すように、消去した各画像の縮小画像を最上面の電子ペーパＥＰに一覧形式に書き込み表示させることで、関連付けた内容をその場で確認できるようにしてもよい。
【００４６】
ここで、本例の電子ペーパＥＰは、本発明に係る検出手段及び書換手段の各機能（主に制御部１２の機能）をソフトウェアにより構成している。また、本例の読取装置Ｒは、本発明に係る取得手段及び送信手段の各機能（主に制御部２２の機能）をソフトウェアにより構成している。また、本例のサーバＳは、本発明に係る管理手段の機能（主に制御部３２の機能）をソフトウェアにより構成している。
【００４７】
すなわち、上記各機能は、ＣＰＵ（Central Processing Unit）等の演算部やＲＡＭ（Random Access Memory）等の記憶部といったハードウェア資源を有する電子ペーパＥＰ、読取装置Ｒ、サーバＳの各コンピュータが、本発明に係るプログラムを実行することで実現している。具体的には、コンピュータが有するＲＯＭ（Read Only Memory）内に本発明に係るプログラムを予め記憶保持しており、当該プログラムを読み出して記憶部に展開し、演算部により実行させることで本発明に係る各機能手段を構成している。
【００４８】
なお、例えば、サーバＳのコンピュータに、ＣＤ−ＲＯＭ（Compact Disc Read Only Memory）やメモリカートリッジ等の外部記憶媒体を装填するスロット等の媒体接続部を設け、本発明に係るプログラムをコンピュータ読み取り可能に記憶保持した外部記憶媒体から当該媒体接続部によりプログラムを読み出して実行してもよい。また、例えば、本発明に係るプログラムを送信する機能を有するプログラム送信装置との通信をネットワークを介して行う通信部をサーバＳのコンピュータに設け、当該通信部によりプログラム送信装置からプログラムを受信して実行してもよい。また、上記のように外部から取得した本発明に係るプログラムをサーバＳのコンピュータのＨＤＤ（Hard Disk Drive）に記憶保持するようにし、当該ＨＤＤからプログラムを読み出して実行してもよい。
なお、電子ペーパＥＰ、読取装置Ｒ、サーバＳは、上記のようなソフトウェア構成でなく、専用のハードウェア回路により本発明に係る各機能手段を構成してもよい。
【００４９】
また、本例では、サーバＳ自体が電子文書の実データを管理しているが、例えば、サーバＳでは電子文書の実データの管理を行わずに、ネットワーク接続された他の装置で管理されている電子文書（Ｗｅｂ文書を含む）の実データを関連付けるようにしてもよい。また、関連付ける電子文書の実データは、当該電子文書に含まれるページ、画像、図形、文章、等の部分要素単位であってもよく、各電子ペーパＥＰに実際に表示された部分同士を関連付けることができる。
【００５０】
図９は、本発明の他の実施例に係る電子ペーパＥＰ及び読取装置Ｒを示している。
本例の電子ペーパＥＰは電源１５を有しておらず、読取装置Ｒから動作電力の供給を受けている。すなわち、同図（ｂ）に示すように、読取装置Ｒの挟み込み部には、挟み込んだ各電子ペーパＥＰに動作電力を供給するための電極２６が、それぞれの挟み込み面に設けられており、同図（ａ）に示すように、電子ペーパＥＰの媒体表面及び裏面を結ぶ形状に構成した電極１８が、各電子ペーパＥＰの前記挟み込み部の電極２６の位置に対応した部分に設けられている。
したがって、複数の電子ペーパＥＰを重ねて読取装置Ｒで挟み込むことで、当該読取装置Ｒから各電子ペーパＥＰに動作電力が供給される。
これにより、電子ペーパＥＰから電源１５が不要になって構成を簡易化できると共に、挟み込んでいない電子ペーパＥＰには電力が供給されないために動作しないことから、無関係な電子ペーパＥＰから特定情報が送信されてしまうことを防止できる。
【００５１】
図１０は、本発明の更に他の実施例に係る電子ペーパＥＰを示している。
すなわち、本例の電子ペーパＥＰは、読取装置Ｒの挟み込み部に対応する媒体部分に加えられた圧力を検出する検出手段としてのボタン１９と、前記圧力を検出している間、読取装置Ｒによる特定情報の取得を可能にする回路を形成するよう回路配線を接続する接続手段としての切替素子と、を有している。
したがって、複数の電子ペーパＥＰを重ねて読取装置Ｒで挟み込むことで、各電子ペーパＥＰの回路が接続されて特定情報の取得が可能になるため、無関係な電子ペーパＥＰから特定情報を取得してしまう可能性が低くなる。
また、読取装置Ｒの筐体を電波遮蔽財を用いて構成することで、無関係な電子ペーパＥＰから特定情報を取得する可能性を低減するようにしてもよい。
【図面の簡単な説明】
【００５２】
【図１】本発明の一実施例に係る文書関連付けシステムの概要を示す図である。
【図２】本発明の一実施例に係る文書関連付けシステムの機能構成を示す図である。
【図３】本発明の一実施例に係る状態情報の書換処理を説明する図である。
【図４】本発明の一実施例に係る特定情報の読取処理を説明する図である。
【図５】本発明の一実施例に係る関連情報のデータ例を示す図である。
【図６】本発明の一実施例に係る関連文書の検索結果の表示例を示す図である。
【図７】本発明の一実施例に係る関連文書の検索結果の表示例を示す図である。
【図８】本発明の一実施例に係る特定情報の読取後の電子ペーパを示す図である。
【図９】本発明の他の実施例に係る電子ペーパ及び読取装置を説明する図である。
【図１０】本発明の更に他の実施例に係る電子ペーパを説明する図である。
【図１１】光書換型電子ペーパの構造を説明する図である。
【図１２】光書換型電子ペーパの動作原理を説明する図である。
【図１３】電気書換型電子ペーパの構造を説明する図である。
【図１４】電気書換型電子ペーパの動作原理を説明する図である。
【符号の説明】
【００５３】
ＥＰ：電子ペーパ（表示保持媒体）、
Ｒ：読取装置、
Ｓ：サーバ、
１１：表示部、
１２：制御部、
１３：メモリ、
１４：センサ、
１５：電源、
１６：送受信部、
１７：アンテナ、
２１：通信部、
２２：制御部、
２３：電源、
２４：送受信部、
２５：アンテナ、
３１：通信部、
３２：制御部、
３３：文書データベース、
３４：対応テーブル
【図１】
2008269508.tif 000003
【図２】
2008269508.tif 000004
【図３】
2008269508.tif 000005
【図４】
2008269508.tif 000006
【図５】
2008269508.tif 000007
【図６】
2008269508.tif 000008
【図７】
2008269508.tif 000009
【図８】
2008269508.tif 000010
【図９】
2008269508.tif 000011
【図１０】
2008269508.tif 000012
【図１１】
2008269508.tif 000013
【図１２】
2008269508.tif 000014
【図１３】
2008269508.tif 000015
【図１４】
2008269508.tif 000016